(57)【要約】【課題】複数回の燃料噴射による混合気を所望の位置に滞留させる。【解決手段】気筒内へ主噴射よりも前にパイロット噴射を複数回行う内燃機関の燃料噴射システムにおいて、パイロット噴射を複数回行なうときに、後に行なうパイロット噴射ほど燃料噴射量を減少させ、このときの燃料噴射量の減少量を気筒内の温度に応じて設定する。【選択図】図５
2011247150.tif 000002
【特許請求の範囲】
【請求項１】
気筒内へ主噴射よりも前にパイロット噴射を複数回行う内燃機関の燃料噴射システムにおいて、
前記パイロット噴射を複数回行なうときに、後に行なうパイロット噴射ほど燃料噴射量を減少させ、このときの燃料噴射量の減少量を気筒内の温度に応じて設定することを特徴とする内燃機関の燃料噴射システム。
【請求項２】
燃料の噴霧に対する気筒内のガスの抵抗と相関する物理量に基づいて、燃焼室壁面に付着しない燃料噴射量の最大値を推定し、この推定される燃料噴射量の最大値以下となるようにパイロット噴射を行なうことを特徴とする請求項１に記載の内燃機関の燃料噴射システム。
【請求項３】
パイロット噴射による各回の燃料噴射量を、燃料の圧力によらず燃料噴射量と噴霧の到達距離との関係が定まる範囲内とすることを特徴とする請求項１または２に記載の内燃機関の燃料噴射システム。
【発明の詳細な説明】
【技術分野】
【０００１】
本発明は、内燃機関の燃料噴射システムに関する。
【背景技術】
【０００２】
燃料噴射量を二等分して燃料噴射を分割して行なうことで、燃料噴霧の貫徹力を弱めて、混合気を所望の位置に滞留させる技術が知られている（例えば、特許文献１参照。）。この技術によれば、吸気流速が低くてタンブル流の弱くなる低速域でも、燃圧を過度に低下させることなく燃料噴霧の貫徹力とタンブル流の強さとの均衡状態を維持して、混合気を狙い通りに点火プラグ電極付近に滞留させることができる。
【０００３】
ところで、内燃機関の気筒内への主噴射よりも前に該主噴射よりも少ない燃料を噴射させるパイロット噴射を複数回行なう場合では、各回のパイロット噴射が以前のパイロット噴射の影響を受けたり、気筒内の状態の影響を受けたりする。このため、各回のパイロット噴射量を同じにしても、到達距離が夫々異なることがあるので、混合気を所望の位置に滞留させることが困難となる虞がある。
【先行技術文献】
【特許文献】
【０００４】
【特許文献１】特開２００３−２６２１４６号公報
【特許文献２】実開昭６３−０９００４７号公報
【特許文献３】特開２００６−２８３６７９号公報
【特許文献４】特開２００５−０４２６４６号公報
【特許文献５】特開２００５−０９０４０１号公報
【発明の概要】
【発明が解決しようとする課題】
【０００５】
本発明は、上記したような問題点に鑑みてなされたものであり、その目的は、複数回の燃料噴射による混合気を所望の位置に滞留させることにある。
【課題を解決するための手段】
【０００６】
上記課題を達成するために本発明による内燃機関の燃料噴射システムは、
気筒内へ主噴射よりも前にパイロット噴射を複数回行う内燃機関の燃料噴射システムにおいて、
前記パイロット噴射を複数回行なうときに、後に行なうパイロット噴射ほど燃料噴射量を減少させ、このときの燃料噴射量の減少量を気筒内の温度に応じて設定する。
【０００７】
すなわち、主噴射の前にパイロット噴射を複数回行なうときには、初回のパイロット噴射量を最も多くし、最後のパイロット噴射量を最も少なくする。ここで、後に行われるパイロット噴射の噴霧は、前に行なわれるパイロット噴射時で生じる気流により到達距離が長くなる。このため、たとえば到達距離が長くなる分だけパイロット噴射量を減少させることにより、前のパイロット噴射による噴霧を後のパイロット噴射による噴霧が追い越すことを抑制できる。ところで、気筒内のガス温度は、内燃機関の状態などにより変わる。そして、気筒内のガス温度が高いほど、パイロット噴射による燃料が蒸発し易くなるため、噴霧の到達距離が短くなる。この影響は、パイロット噴射量が少ないほど大きくなる。このため、段階的に燃料噴射量を減少させつつ複数回のパイロット噴射を行なう場合には、後に行われるパイロット噴射ほど、ガス温度の影響が大きくなる。したがって、燃料噴射量を減少させるときに、気筒内の温度に応じてパイロット噴射量の減少量を設定すれば
、燃料の蒸発により到達距離が短くなることを考慮したパイロット噴射が可能となる。なお、気筒内の温度が高いほど、燃料噴射量の減少量を小さくしても良い。すなわち、気筒内の温度が高いときには低いときよりも、パイロット噴射量を多くすることにより、燃料の蒸発量が多くなっても、到達距離が短くなりすぎることを抑制できる。これにより、混合気を所望の位置に滞留させることができる。また、１回当たりのパイロット噴射量が少ないほど、該噴射量の制御の精度が低くなるため、１回当たりのパイロット噴射量を多くし、その分噴射回数を減らせば、燃焼状態を安定させることもできる。
【０００８】
本発明においては、燃料の噴霧に対する気筒内のガスの抵抗と相関する物理量に基づいて、燃焼室壁面に付着しない燃料噴射量の最大値を推定し、この推定される燃料噴射量の最大値以下となるようにパイロット噴射を行なうことができる。
【０００９】
このように、燃焼室壁面に付着しない燃料噴射量の最大値以下となるようにパイロット噴射を行なえば、燃焼室壁面に燃料が付着しないため、燃焼状態が悪化することを抑制できる。ここで、噴霧の到達距離は、燃料の噴霧に対する気筒内のガスの抵抗に応じて変化する。つまり、ガスの抵抗が大きいほど噴霧の到達距離は短くなる。そうすると、燃焼室壁面に付着しない燃料噴射量の最大値も、この抵抗に応じて変化する。この抵抗と相関関係にある物理量に基づけば、燃焼室壁面に付着しない燃料噴射量の最大値を推定することができる。そして、実際のパイロット噴射量を燃焼室壁面に付着しない燃料噴射量の最大値以下とすることで、燃料が燃焼室壁面に付着することを抑制しつつ、１回当たりのパイロット噴射量をより多くすることができる。なお、気筒内の状態（たとえば気筒内の圧力またはガス密度）と、噴霧に対するガスの抵抗と、には相関関係があり、たとえば気筒内の圧力が高くなるほど、噴霧に対するガスの抵抗は大きくなる。したがって、気筒内の状態（たとえば気筒内の圧力またはガス密度）と、燃焼室壁面に付着しない燃料噴射量の最大値と、には相関関係があるため、該相関関係に基づいて該燃料噴射量の最大値を推定してもよい。
【００１０】
本発明においては、パイロット噴射による各回の燃料噴射量を、燃料の圧力によらず燃料噴射量と噴霧の到達距離との関係が定まる範囲内とすることができる。
【００１１】
ここで、燃料噴射弁では、噴射量が比較的少ないときには、燃料の圧力によらず、燃料噴射量に応じて噴霧の到達距離が変化する。一方、噴射量が多くなると、燃料噴射量及び燃料の圧力に応じて到達距離が変化する。したがって、燃料の圧力によらず燃料噴射量に応じて噴霧の到達距離が変化する領域でパイロット噴射を行なえば、燃料の圧力が変化したとしても、この燃料の圧力を考慮することなく噴霧の到達距離を得ることができる。これにより、燃料噴射量の制御が容易となる。
【発明の効果】
【００１２】
本発明によれば、複数回の燃料噴射による混合気を所望の位置に滞留させることができる。
【図面の簡単な説明】
【００１３】
【図１】実施例によるエンジンの概略構成を示す図である。
【図２】実施例に係るパイロット噴射の噴射パターンを示したタイムチャートである。
【図３】燃料噴射量と噴霧の到達距離との関係を示した図である。
【図４】実施例に係るパイロット噴射の順番と、後続のパイロット噴射量の比率との関係を示した図である。
【図５】実施例に係るパイロット噴射の制御フローを示したフローチャートである。
【発明を実施するための形態】
【００１４】
以下、本発明に係る内燃機関の燃料噴射システムの具体的な実施態様について図面に基づいて説明する。ここでは、本発明による内燃機関の燃料噴射システムを車両駆動用のディーゼルエンジンに適用した場合を例に挙げて説明する。
【実施例１】
【００１５】
図１は、本実施例によるエンジンの概略構成を示す図である。図１に示すエンジン１は、気筒２を有する水冷式の４サイクル・ディーゼルエンジンである。
【００１６】
エンジン１は、シリンダヘッド１ａ及びシリンダブロック１ｂが連結されて構成されている。
【００１７】
シリンダヘッド１ａには、吸気ポート４及び排気ポート５が形成されており、吸気ポート４及び排気ポート５と気筒２内との境界には、上下に移動する吸気弁６及び排気弁７が備えられている。また、シリンダヘッド１ａには、気筒２内に燃料を燃料噴射弁３が設けられている。燃料噴射弁３には、該燃料噴射弁３に燃料を供給する燃料供給源３１が接続されている。燃料供給源３１には、たとえばポンプやコモンレールが含まれる。
【００１８】
燃料噴射弁３に駆動電流が印加されると、燃料噴射弁３が開弁し、その結果、燃料噴射弁３から気筒２内へ燃料が噴射される。ここで、燃料噴射弁３から噴射される燃料量は、エンジン回転数と負荷とからマップにより算出される。また、基本となる燃料噴射時期もエンジン回転数と負荷とからマップにより算出される。これらのマップは、予め実験等により求めておく。
【００１９】
また、シリンダブロック１ｂは、気筒２内に挿入されたピストン１０を備えて構成される。このピストン１０の上面には、該ピストン１０の中心側に凹んだ燃焼室１１が形成されている。また、シリンダヘッド１ａには、気筒２内の圧力を測定する圧力センサ１３が取り付けられている。
【００２０】
以上述べたように構成されたエンジン１には、該エンジン１を制御するための電子制御ユニットであるＥＣＵ１２が併設されている。このＥＣＵ１２は、エンジン１の運転条件や運転者の要求に応じてエンジン１の運転状態を制御する。
【００２１】
ＥＣＵ１２には、圧力センサ１３の他、各種センサが電気配線を介して接続され、これらセンサの出力信号がＥＣＵ１２に入力されるようになっている。一方、ＥＣＵ１２には、燃料噴射弁３が電気配線を介して接続され、該燃料噴射弁３はＥＣＵ１２により制御される。また、前記ＥＣＵ１２は、各種アプリケーションプログラム及び各種制御マップを記憶している。
【００２２】
そして、ＥＣＵ１２は、燃料噴射弁３から気筒２内へ燃料噴射を行なうときに、主噴射に先立って複数回のパイロット噴射を行なう。複数回のパイロット噴射を行なう場合には、それ以前に噴射された燃料の噴霧を追い越さないように夫々の燃料噴射量（パイロット噴射量ともいう。）が調節される。この場合、夫々のパイロット噴射量は、それよりも前のパイロット噴射量よりも少なくされる。ここで、パイロット噴射が行なわれると噴霧により気流が発生する。その後に行なわれるパイロット噴射の噴霧は、前に行なわれたパイロット噴射により生じた気流により運動エネルギが大きくなる。このため、後に噴射される燃料のほうが到達距離が長くなり得るため、パイロット噴射毎に燃料噴射量を変化させないと、燃焼室１１の壁面に燃料が付着する虞がある。これに対し、後のパイロット噴射時の燃料噴射量を、前のパイロット噴射時の燃料噴射量よりも減少させることにより、初期の運動エネルギを減少させることができる。これにより、後のパイロット噴射による噴
霧の到達距離を短くすることができるため、後に行なわれたパイロット噴射による噴霧が以前に行なわれたパイロット噴射による噴霧を追い越して燃焼室１１の壁面に付着することを抑制できる。
【００２３】
ここで、図２は、本実施例に係るパイロット噴射の噴射パターンを示したタイムチャートである。燃料噴射弁３がＯＮのときに開弁され、ＯＦＦのときに閉弁される。図２では、１サイクル１気筒当たりにパイロット噴射を４回行なっている。そして、初回のパイロット噴射から４回目のパイロット噴射まで、ＯＮの期間を段階的に短くすることで、燃料噴射量を順次減少させている。このパイロット噴射の回数及び各回の噴射量、噴射間隔は、エンジン１の運転状態（たとえば機関回転数及び機関負荷）と関連付けて予めマップ化しておくことができる。また、後述のようにして、パイロット噴射の回数及び各回の噴射量を設定することもできる。
【００２４】
次に、図３は、燃料噴射量と噴霧の到達距離との関係を示した図である。図３は、燃料噴射弁３から燃料を１回だけ噴射したときの燃料噴射量に対する噴霧の到達距離を示している。実線は燃料の圧力が比較的高い場合を示し、一点鎖線は燃料の圧力が比較的低い場合を示している。ここで、燃料噴射量と噴霧の到達距離との関係は、気筒２内の圧力に応じて変わる。また、何回目のパイロット噴射であるかによっても変わる。図３は、予め設定される基準の状態における関係であり、気筒２内の圧力やパイロット噴射の順番によって図３に示す関係は補正される。
【００２５】
図３に示されるように、燃料噴射量が多いほど、噴霧の到達距離は長くなる。そして、燃料噴量がＡで示される量となるまでは、燃料噴射量と噴霧の到達距離との関係は燃料の圧力（コモンレールの圧力としてもよい）によらず決まるが、燃料噴射量がＡで示される量を超えると、燃料噴射量と噴霧の到達距離との関係は燃料の圧力の影響を受ける。すなわち、図３中のＡよりも燃料噴射量が少ない領域（図３中のＡよりも左側の領域）は、燃料の圧力によらず燃料噴射量と噴霧の到達距離との関係が定まる範囲といえる。また、図３中のＡよりも燃料噴射量が多い領域（図３中のＡよりも右側の領域）は、燃料の圧力が高いほど、噴霧の到達距離が長くなる範囲といえる。なお、図３中のＡで示される燃料噴射量は、燃料噴射弁３の性能に応じて決まり、実験等により予め求めておくことができる。また、燃料噴射量と、燃料噴射弁３の開弁時間と、の関係を予め実験等により求めてＥＣＵ１２に記憶させておけば、該ＥＣＵ１２は、燃料噴射弁３の開弁時間を制御することにより燃料噴射量を調節することができる。
【００２６】
そして本実施例では、パイロット噴射量が図３中のＡで示される燃料噴射量以下となるように該パイロット噴射量を制御する。そうすると、Ａで示される燃料噴射量は、パイロット噴射量の最大値であり、以下、最大パイロット噴射量Ａと称する。このように、パイロット噴射量を最大パイロット噴射量Ａ以下とすることにより、噴霧に与えられるエネルギは噴射された燃料量のみに支配されるため、たとえエンジン１の負荷などによって燃料の圧力（コモンレールの圧力）が変化しても、パイロット噴射量及び運動エネルギが噴射期間のみに依存することになる。このため、噴霧の初期のエネルギを燃料噴射量で制御することが可能となる。すなわち、パイロット噴射量を最大パイロット噴射量Ａ以下とすることで、燃料の圧力が噴霧の到達距離に与える影響を排除することができる。
【００２７】
ここで、パイロット噴射される燃料の到達距離は、気筒２内の状態（たとえば圧力または密度）に応じて変化する。すなわち、気筒２内の状態（たとえば圧力または密度）に応じて噴霧に対する気筒２内のガスの抵抗が変わるため、噴霧の到達距離が変わる。たとえば、空気密度が低い高地などでは、空気密度の高い低地などと比較して、気筒２内のガスの抵抗が小さいために、同じ燃料噴射量であっても噴霧の到達距離が長くなる。また、気筒２内の圧力は、クランク角度によっても変わる。圧縮行程中にパイロット噴射を複数回
行なう場合には、噴射時期が遅くなるほど、気筒２内の圧力が高くなるため、到達距離がより短くなる。したがって、２回目以降のパイロット噴射では、以前のパイロット噴射により生じた気流によって到達距離が長くなるものの、気筒２内の圧力が高いほど、到達距離が長くなる度合いが小さい。
【００２８】
これに対し、たとえば、図３の関係を補正する補正値を、気筒２内の圧力に応じて予め実験等により求めておけば、気筒２内の圧力に応じて図３の関係を補正することができる。そして、燃料噴射弁３から燃焼室１１の壁面までの距離は予め分かっているため、補正後の図３に示した関係に基づいて、燃焼室１１の壁面に到達しないための燃料噴射量を算出することができる。なお、燃焼室１１の壁面に到達しない燃料噴射量の最大値を、以下、最大噴射量Ｂと称する。この最大噴射量Ｂは、図３中のＡよりも左側の範囲の関係を前提として算出される。気筒２内の圧力は、圧力センサ１３により得る。また、気筒２内の圧力は、たとえば大気圧、吸気管内圧力、エンジン１のクランク角度などにより推定することができるため、これらの関係を予めＥＣＵ１２に記憶させておいてもよい。
【００２９】
ここで、極低温時または高地走行時など燃料が燃焼し難い状況では、パイロット噴射量の総量の要求値が大きくなるため、燃料の噴霧が燃焼室１１の壁面に到達しない範囲で、各回のパイロット噴射量をできるだけ増加させるほうが良い。このように、パイロット噴射量の総量の要求値が大きな場合には、最初のパイロット噴射は、気筒２内の圧力が低い比較的早い時期に行なわざるを得ないが、その後に行なわれるパイロット噴射では気筒２内の圧力が上昇するため、パイロット噴射量を増加させても到達距離が長くなることが抑制される。すなわち、パイロット噴射量を増加させて、着火性を向上させることができる。
【００３０】
なお、各回のパイロット噴射量は、最大パイロット噴射量Ａ以下となるように制御されるが、最大パイロット噴射量Ａを超えても、噴霧が燃焼室１１の壁面に到達しないこともある。このような場合には、噴霧が燃焼室１１の壁面に到達しない範囲で最大パイロット噴射量Ａを超えるパイロット噴射量を設定してもよい。
【００３１】
ここで、上述の最大噴射量Ｂは、図３のＡよりも左側の関係に従って算出されるため、燃料の圧力が考慮されていない。このため、最大噴射量Ｂが最大パイロット噴射量Ａよりも多い場合には、最大噴射量Ｂをそのまま用いることができない。このため、最大噴射量Ｂが最大パイロット噴射量Ａよりも多い場合には、図３のＡよりも右側の領域の関係に従い、燃料の圧力に基づいて燃料の噴霧が燃焼室１１の壁面に到達する燃料噴射量を求める。このようにして得られる燃料噴射量を最大噴射量Ｃとして、実際のパイロット噴射量とする。このように、最大パイロット噴射量Ａよりも多くの燃料を噴射可能であれば、最大パイロット噴射量Ａよりも多くの燃料を噴射することにより、着火性をより向上させることができる。
【００３２】
また、初回のパイロット噴射量の許容範囲の上限値（以下、初回許容最大噴射量という。）を予め設定しておき、算出されたパイロット噴射量が初回許容最大噴射量を超える場合には、実際に噴射する燃料量を初回許容最大噴射量とする。ここで、１回当たりのパイロット噴射量が多くなりすぎると、その噴霧が蒸発した場合に、潜熱により熱が奪われるため、混合気の温度が低くなりすぎてしまう。これにより着火性が悪化する虞があるため、着火性が悪化しない程度のパイロット噴射量とする。すなわち、初回許容最大噴射量は、着火性が悪化しない噴射量の上限値であり、予め実験等により求めておく。なお、初回許容最大噴射量は、最大パイロット噴射量Ａよりも大きな値に設定される。
【００３３】
また、本実施例においては、気筒２内の温度が高いほど、後続のパイロット噴射量を多くしている。すなわち、後続のパイロット噴射量を以前のパイロット噴射量よりも減少さ
せるときの減少量を、気筒２内の温度が高いほど小さくしている。ここで、エンジン１の暖機が完了した場合や高負荷運転がなされた場合など気筒２内の温度が高い場合には、パイロット噴射による噴霧が移動中に蒸発することにより、該噴霧の到達距離が短くなる。したがって、２回目以降のパイロット噴射では、以前のパイロット噴射により生じた気流によって到達距離が長くなるものの、気筒２内の温度が高いほど、到達距離が長くなる度合いが小さくなる。
【００３４】
そして、この蒸発による影響は、噴射量のより少ない後続のパイロット噴射ほど大きいため、後続のパイロット噴射量をその分増加させることにより、この影響を打ち消すことができる。また、１回当たりのパイロット噴射量が多いほど噴射量の精度が高くなるため、パイロット噴射量を多くしてパイロット噴射回数を減らすほうが、燃焼状態が安定する。
【００３５】
図４は、実施例に係るパイロット噴射の順番と、後続のパイロット噴射量の比率との関係を示した図である。図４は、１気筒１サイクル当たり４回のパイロット噴射を行なったときの各回のパイロット噴射量を、１回目のパイロット噴射量を基準（１．０）として該１回目のパイロット噴射量に対する比として表している。実線は気筒２内の温度が比較的高い場合を示し、一点鎖線は気筒２内の温度が比較的低い場合を示している。この関係は、以前行なわれたパイロット噴射による噴霧を追い越さないように設定されている。この関係は予め実験等により求めることができる。このように、気筒２内の温度が高いほど後続のパイロット噴射量の比率を高くしている。また、パイロット噴射の順番が後になるほど、後続のパイロット噴射量の比率が低くなる。すなわち、パイロット噴射を複数回行なうときに、後に行なうパイロット噴射ほど燃料噴射量を減少させ、このときの燃料噴射量の減少量を気筒２内の温度に応じて設定しているといえる。これにより、燃料が蒸発することによる影響を打ち消しつつ、後続のパイロット噴射による噴霧が以前のパイロット噴射による噴霧を追い越すことを抑制している。
【００３６】
図５は、本実施例に係るパイロット噴射の制御フローを示したフローチャートである。本ルーチンは所定の時間毎にＥＣＵ１２により実行される。
【００３７】
ステップＳ１０１では、要求されるパイロット噴射量の総量である要求パイロット総量が算出される。要求パイロット総量は、１気筒１サイクル当たりに要求されるパイロット噴射量の総量であり、エンジン１の運転状態に応じて決定される。たとえば、機関回転数、機関負荷、要求パイロット総量の関係を予め実験等により求めてＥＣＵ１２に記憶させておく。
【００３８】
ステップＳ１０２では、最初のパイロット噴射時の噴霧の到達距離の補正値が算出される。本ステップでは、気筒２内のガスの抵抗に基づいて噴霧の到達距離を補正するための補正値が算出される。最初のパイロット噴射時とは、１気筒の１サイクル毎に噴射されるパイロット噴射の中で最初にパイロット噴射が行なわれる時期である。この時期は、ステップＳ１０１で算出される要求パイロット総量に応じて変わり、要求パイロット総量と、最初のパイロット噴射が行なわれる時期との関係は、予めＥＣＵ１２に記憶されている。補正値は、気筒２内の圧力と相関関係にあるため、補正値と気筒２内の圧力との関係を予め実験等により求めてＥＣＵ１２に記憶させておく。
【００３９】
ステップＳ１０３では、１回目のパイロット噴射量が算出される。本ステップでは、図３及び図４の関係に従って、燃焼室１１の壁面に燃料が付着しないパイロット噴射量が算出される。なお、上述のように、燃焼室１１の壁面に燃料が付着しない範囲で、最大パイロット噴射量Ａを超えたパイロット噴射量としてもよい。
【００４０】
ステップＳ１０４では、１回目のパイロット噴射による噴霧を追い越さないような２回目のパイロット噴射量が算出される。この２回目のパイロット噴射量は、最初のパイロット噴射量よりも少ない量である。ここで、最初のパイロット噴射により発生する気流により２回目のパイロット噴射の到達距離が長くなる。ただし、最初のパイロット噴射時よりも２回目のパイロット噴射時のほうが気筒２内の圧力が高くなるために噴霧に対するガスの抵抗が大きくなるので、その分、２回目のパイロット噴射の到達距離が短くなる。さらに、気筒２内の温度が高いほど、燃料が蒸発し易いために、パイロット噴射の到達距離が短くなる。これらを考慮して、２回目のパイロット噴射量が算出される。それぞれの場合において図３の関係を補正する補正値を求めるマップを記憶しておき、該補正値に基づいて２回目のパイロット噴射量を算出してもよい。
【００４１】
ステップＳ１０５では、残りのパイロット噴射の回数及び各回のパイロット噴射量が算出される。すなわち、２回目のパイロット噴射と同様にして、３回目以降のパイロット噴射量を算出する。併せて、要求パイロット総量を満たすパイロット噴射の回数が算出される。
【００４２】
ステップＳ１０６では、算出されたパイロット噴射量を用いてパイロット噴射が実施される。
【００４３】
以上説明したように本実施例によれば、燃料の噴霧の到達距離を高精度に制御することができる。これにより、燃料が燃焼室１１の壁面に付着することを抑制できると共に、所望の位置に混合気を滞留させることができる。
【符号の説明】
【００４４】
１     エンジン
１ａ   シリンダヘッド
１ｂ   シリンダブロック
２     気筒
３     燃料噴射弁
４     吸気ポート
５     排気ポート
６     吸気弁
７     排気弁
１０   ピストン
１１   燃焼室
１２   ＥＣＵ
１３   圧力センサ
３１   燃料供給源
【図１】
2011247150.tif 000003
【図２】
2011247150.tif 000004
【図３】
2011247150.tif 000005
【図４】
2011247150.tif 000006
【図５】
2011247150.tif 000007